(57)【要約】【課題】周囲の無線携帯端末と無線通信を行う通信ユニットを自動販売機の上面に簡単に取り付けることができる取付ブラケットを提供する。【解決手段】取付ブラケット２０は、自動販売機８の上面８２に配置される平面部２１と、ボルト穴８１２が形成された背面８１に配置される側面部２６、２７とを備える。平面部２１は、通信ユニット１０の底部に設けられた４つの脚部１９のうちの２つが載置される第１辺部２２と、残り２つが載置される第２辺部２４と、第１辺部２２、第２辺部２４間を接続する第３辺部２３とから構成される。第１辺部２２、第２辺部２４の各端部には脚部１９をネジ固定するためのネジ挿入穴２５１〜２５４が形成されている。第１辺部２２の端部には自動販売機８の上下方向に長い長穴２６１が形成された有穴板部２６が設けられる。有穴板部２６がボルト穴８１２にて自動販売機８にボルト固定される。【選択図】図７
2013206211.tif 000002
【特許請求の範囲】
【請求項１】
周囲の無線携帯端末と無線通信を行う通信ユニットを自動販売機の上面に取り付けるための取付ブラケットであって、
自動販売機の上面に配置されて前記通信ユニットを自身に固定する通信ユニット固定部と、
その通信ユニット固定部と接続するとともに自動販売機の背面上部又は側面上部に形成されたボルト穴の位置に配置され、貫通穴が形成され、前記貫通穴を通って前記ボルト穴に挿入されるボルトによって自動販売機に固定される自販機固定部と、を備えることを特徴とする取付ブラケット。
【請求項２】
前記通信ユニットは、その底部に、ネジが通るネジ挿通穴が形成された脚部を有し、
前記通信ユニット固定部は、前記ネジ挿通穴を通ったネジと嵌合するネジ嵌合部を有することを特徴とする請求項１に記載の取付ブラケット。
【請求項３】
前記通信ユニットは直方体状とされ、
前記脚部は、前記通信ユニットの底部の４隅それぞれに設けられ、
前記通信ユニット固定部は、４つの前記脚部間の位置関係と同じ位置関係に配置された４つの前記ネジ嵌合部を有することを特徴とする請求項２に記載の取付ブラケット。
【請求項４】
前記通信ユニットの底部の対向する２辺のうち一方を第１辺、他方を第２辺として、
前記通信ユニット固定部は、
前記底部の前記第１辺側に設けられた２つの前記脚部が載置される第１辺部と、
その第１辺部と間を挟んで対向する位置に設けられ、前記底部の前記第２辺側に設けられた２つの前記脚部が載置される第２辺部と、
前記第１辺部と前記第２辺部の間を接続する第３辺部とを有することを特徴とする請求項３に記載の取付ブラケット。
【請求項５】
前記第３辺部は、前記第１辺部の一方の端部とその端部と同じ側の前記第２辺部の端部の間を接続し、
前記第１辺部、前記第２辺部及び前記第３辺部で平面視コの字状となっていることを特徴とする請求項４に記載の取付ブラケット。
【請求項６】
前記第１辺部、前記第２辺部又は前記第３辺部のうち予め定められた一つは、前記ボルト穴が形成された自動販売機の背面又は側面と、その自動販売機の上面との境界に沿う位置に配置される境界配置部とされ、
前記自販機固定部は、前記境界配置部の外側縁部から直角に下方に折れ曲がるように設けられた、前記貫通穴を有した有穴板部であることを特徴とする請求項４又は５に記載の取付ブラケット。
【請求項７】
前記自販機固定部としての前記有穴板部は、前記境界配置部の長手方向の一方の端部のみ又は両方の端部それぞれに設けられていることを特徴とする請求項６に記載の取付ブラケット。
【請求項８】
前記境界配置部の前記外側縁部のうち、前記有穴板部が接続された部分以外の部分から直角に下方に折れ曲がるように設けられ、前記ボルト穴が形成された自動販売機の背面又は側面と接触する接触板を備えることを特徴とする請求項６又は７に記載の取付ブラケット。
【請求項９】
前記貫通穴は、自動販売機の上下方向に対応する方向に長い長穴であることを特徴とする請求項１〜８のいずれか１項に記載の取付ブラケット。
【発明の詳細な説明】
【技術分野】
【０００１】
本発明は、周囲の無線携帯端末と無線通信を行う通信ユニットを自動販売機の上面に取り付けるための取付ブラケットに関する。
【背景技術】
【０００２】
従来、自動販売機の上面に無線ＬＡＮアクセスポイントを搭載する技術の提案がある（例えば特許文献１参照）。
【先行技術文献】
【特許文献】
【０００３】
【特許文献１】特開２００５−１６５６７９号公報
【発明の概要】
【発明が解決しようとする課題】
【０００４】
ところで、無線ＬＡＮアクセスポイント等、周囲の無線携帯端末と無線通信を行う通信ユニットを自動販売機の上面に取り付ける場合には、その取り付けを簡単にできるようにするのが望ましい。この点、特許文献１では、通信ユニットとしての無線ＬＡＮアクセスポイントの取り付け方法に関する提案はなされていない。
【０００５】
本発明は上記事情に鑑みてなされたものであり、周囲の無線携帯端末と無線通信を行う通信ユニットを自動販売機の上面に簡単に取り付けることができる取付ブラケットを提供することを課題とする。
【課題を解決するための手段】
【０００６】
上記課題を解決するために、本発明は、周囲の無線携帯端末と無線通信を行う通信ユニットを自動販売機の上面に取り付けるための取付ブラケットであって、
自動販売機の上面に配置されて前記通信ユニットを自身に固定する通信ユニット固定部と、
その通信ユニット固定部と接続するとともに自動販売機の背面上部又は側面上部に形成されたボルト穴の位置に配置され、貫通穴が形成され、前記貫通穴を通って前記ボルト穴に挿入されるボルトによって自動販売機に固定される自販機固定部と、を備えることを特徴とする。
【０００７】
自動販売機の背面上部又は側面上部には、自動販売機の転倒防止用のワイヤー等を自動販売機に取り付けるためのボルト穴が予め形成されている場合があるので、そのボルト穴を利用して本発明の取付ブラケット（自販機固定部）を自動販売機に固定できる。このように既存のボルト穴を利用することで、取付ブラケットの取り付けのためにわざわざ自動販売機にボルト穴を形成する必要がない。よって、取付ブラケットを簡単に自動販売機に取り付けることができる。また、通信ユニットを、取付ブラケット（通信ユニット固定部）を介して自動販売機の上面に固定できる。これによって、自動販売機の上面に通信ユニットを固定するためのボルト穴等を形成する必要がなく、通信ユニットを自動販売機の上面に簡単に取り付けることができる。
【図面の簡単な説明】
【０００８】
【図１】公衆無線ＬＡＮシステム１００の概念図である。
【図２】通信ユニット１０の概略構成の図である。
【図３】樹脂製ボックス１１の側面図である。
【図４】図３のＡ部の拡大図である。
【図５】取付ブラケット２０の平面図である。
【図６】図５のＢ矢視方向から取付ブラケット２０を見た図である。
【図７】自動販売機８、取付ブラケット２０及び通信ユニット１０の分解斜視図である。
【図８】自動販売機８に取付ブラケット２０を設置した状態の図である。
【図９】通信ユニット１０を、取付ブラケット２０を介して自動販売機８に取り付けた状態の図である。
【図１０】第１の変形例に係る取付ブラケット２０の図である。
【図１１】第２の変形例に係る取付ブラケット２０の図である。
【図１２】第３の変形例に係る取付ブラケット２０の図である。
【図１３】第４の変形例に係る取付ブラケット２０の図である。
【図１４】第５の変形例に係る取付ブラケット２０の図である。
【発明を実施するための形態】
【０００９】
以下、本発明の取付ブラケットの実施形態を図面を参照しながら説明する。図１は、本実施形態の取付ブラケット２０が適用された公衆無線ＬＡＮシステム１００の概念図である。公衆無線ＬＡＮシステム１００の概要を説明すると、無線ＬＡＮアクセスポイントとしての通信ユニット１０が取付ブラケット２０を介して飲料水等の直方体状の自動販売機８の上面８２に取り付けられている。通信ユニット１０は、インターネット５に接続されている。通信ユニット１０周囲の無線携帯端末１（携帯電話やノートパソコン等）は、通信ユニット１０と無線ＬＡＮ接続（ＷｉＦｉ接続）することで、インターネット５への接続が可能となっている。なお、公衆無線ＬＡＮシステム１００は、無線ＬＡＮ通信機能を有する無線携帯端末１であれば無料でインターネット接続を可能とするフリースポットのシステムとされている。また、通信ユニット１０は、インターネット５を介して、通信ユニット１０を管理するサーバー６に接続されている。本発明の取付ブラケット２０の詳細を説明する前に、先ず通信ユニット１０について説明する。
【００１０】
図２は、通信ユニット１０の概略構成を示している。通信ユニット１０は、樹脂製ボックス１１と、その樹脂製ボックス１１に格納された通信装置１２とを備えている。通信装置１２は、無線ＬＡＮルータ１３と、その無線ＬＡＮルータ１３に接続されたＵＳＢメモリ等のストレージ１５と、管理装置１７とを備えている。無線ＬＡＮルータ１３は、第１アンテナ１４を含み、その第１アンテナ１４を用いて、無線ＬＡＮ通信機能を有した周囲の無線携帯端末１と無線ＬＡＮの通信規格（ＩＥＥＥ８０２．１１等）に則って無線通信を行う（無線ＬＡＮ機能）。なお、第１アンテナ１４は、複数のアンテナ（図２では２つのアンテナ１４１、１４２）から構成され、それら複数のアンテナのうち通信品質が良いアンテナで通信が行われるダイバーシティアンテナとされている。無線ＬＡＮルータ１３による無線ＬＡＮの通信範囲は、例えば無線ＬＡＮルータ１３を中心に半径５０ｍ程度となっている。また、無線ＬＡＮルータ１３は、第２アンテナ１６を含み、その第２アンテナ１６を用いて無線で携帯電話回線（例えば３Ｇ回線網）に接続し、その携帯電話回線を介してインターネット５と接続されている。そして、無線ＬＡＮルータ１３は、無線接続された無線携帯端末１からの通信データをインターネット５に送信したり、インターネット５からの通信データを無線携帯端末１に送信したりする（ルーティング機能）。なお、無線ＬＡＮルータ１３とインターネット５とを有線で接続しても良い。
【００１１】
さらに、無線ＬＡＮルータ１３は、インターネット５からのデータに代えて、ストレージ１５に格納されたデータ（画像データ等）を無線携帯端末１に送信する場合もある。詳細には、無線ＬＡＮルータ１３は、無線携帯端末１からのアクセスがあったときには、ストレージ１５に格納された初期画面を無線携帯端末１に送信して、その初期画面を無線携帯端末１に表示させる。そして、無線ＬＡＮルータ１３は、初期画面内に設けられたインターネット接続ボタンが無線携帯端末１のユーザに操作されたことに基づいて、無線携帯端末１をインターネット５に接続している。別の言い方をすると、無線ＬＡＮルータ１３は、インターネット接続ボタンが操作されるまでは、ストレージ１５内のデータを無線携帯端末１に送信している。
【００１２】
また、無線ＬＡＮルータ１３は、第２アンテナ１６を介してサーバー６（図１参照）と無線通信可能となっている。そして、それらルータ１３、サーバー６間の通信によって、ストレージ１５内のデータの書き換え等が可能となっている。また、無線ＬＡＮルータ１３は、無線携帯端末１からのアクセスがあった場合には、その無線携帯端末１のアクセスデータ（アクセス日時、無線携帯端末１のＭＡＣアドレス等）をサーバー６に送信している。そして、サーバー６は、そのアクセスデータを蓄積している。
【００１３】
管理装置１７は、通信線１８１で無線ＬＡＮルータ１３と接続されており、その通信線１８１を介して無線ＬＡＮルータ１３が正常に動作しているか否かを確認する（死活監視）。また、管理装置１７と無線ＬＡＮルータ１３の間には電源線１８２が接続されている。そして、管理装置１７は、その電源線１８２によって、無線ＬＡＮルータ１３の電源供給を制御している。具体的には、管理装置１７は、無線ＬＡＮルータ１３がフリーズしている場合には、無線ＬＡＮルータ１３への電源供給を一旦停止し、その後電源供給を再開して、無線ＬＡＮルータ１３を再起動させる（再起動制御）。なお、上記死活監視や再起動制御は管理装置１７自らの判断で行われているが、サーバー６（図１参照）による管理装置１７の遠隔制御で行われることも可能となっている。
【００１４】
上記通信装置１２の各構成１３〜１９は、外部に露出しないように樹脂製ボックス１１に格納されている。図３は、樹脂製ボックス１１の側面図である。樹脂製ボックス１１は、直方体状とされ、電波を通すために樹脂で形成されている。その樹脂製ボックス１１の長方形状の底部１１１の４隅には脚部１９１〜１９４が設けられている。脚部１９１〜１９４は互いに同一形状となっている。なお、以下では脚部１９１〜１９４を符号「１９」で指示する場合もある。図４は、脚部１９の詳細を説明する図であり、具体的には図３のＡ部の拡大図である。図４に示すように、脚部１９は、底部１１１に固定される固定部１９５と、接地面に接する接地面部１９６と、それら固定部１９５、接地面部１９６間を接続する接続部１９８とから構成される。接地面部１９６には、所定の大きさのネジ（例えばＭ６のネジ）を通すための貫通穴（ネジ挿通穴）１９７が形成されている。また、脚部１９（接地面部１９６）は固定部１９５の固定軸７１（図４参照）回りに回転可能となっている。つまり、接地面部１９６の向きを調整可能となっている。
【００１５】
次に、通信ユニット１０を自動販売機の上面に取り付けるための取付ブラケット２０の詳細を説明する。図５は、取付ブラケット２０の平面図である。図６は、図５のＢ矢視方向から取付ブラケット２０を見た、取付ブラケット２０の側面図である。なお、後述する図７には、取付ブラケット２０の斜視図を示している。取付ブラケット２０の各部は、アルミ、鉄等の平板状の金属で形成されている。取付ブラケット２０は、平面視コの字状の平面部２１と、その平面部２１の縁部２２３（図５の紙面方向で下側縁部）から直角に下方に折れ曲がるように設けられたＬ字状の側面部２８とから構成される。平面部２１は、自動販売機の上面に配置され、その上面にて通信ユニット１０（厳密には樹脂製ボックス１１）を固定する部分とされる。その平面部２１は、図５に示すように、細長長方形状の第１辺部２２、第２辺部２４及び第３辺部２３から構成されている。なお、平面部２１が本発明の「通信ユニット固定部」に相当する。また、第１辺部２２が本発明の「境界配置部」に相当する。
【００１６】
第１辺部２２及び第２辺部２４は、間を空けて互いに対向する位置に設けられている。それら第１辺部２２、第２辺部２４の長さ（長手方向の長さ）は、樹脂製ボックス１１の横幅（図３の紙面方向で奥行き方向における樹脂製ボックス１１の幅）と同程度になっている。第１辺部２２は、同一辺側に設けられた２つの脚部１９１、１９２（図３参照）が載置される部分とされる。第２辺部２４は、脚部１９１、１９２と対向する辺側に設けられた２つの脚部１９３、１９４が載置される部分とされる。第１辺部２２、第２辺部２４の各端部２２１、２２２、２４１、２４２には、各脚部１９１〜１９４をネジで固定するためのネジ挿入穴２５（ネジ嵌合部）が形成されている。ネジ挿入穴２５の内壁にはネジ溝が形成されている。ネジ挿入穴２５として、例えば第１辺部２２、第２辺部２４に溶接等で固定されたナットが採用される。
【００１７】
ネジ挿入穴２５として、第１辺部２２の一方の端部２２１（図５の紙面方向で左側端部）に形成された第１ネジ挿入穴２５１と、第１辺部２２の他方の端部２２２（図５の紙面方向で右側端部）に形成された第２ネジ挿入穴２５２と、第２辺部２４の一方の端部２４１（図５の紙面方向で左側端部）に形成された第３ネジ挿入穴２５３と、第２辺部２４の他方の端部２４２（図５の紙面方向で右側端部）に形成された第４ネジ挿入穴２５４とを含む。それら４つのネジ挿入穴２５１〜２５４の位置関係は、４つの脚部１９１〜１９４の位置関係と同じとなっている。
【００１８】
第３辺部２３は、第１辺部２２と第２辺部２４の間を接続する部分とされる。その第３辺部２３の一方の端部が第１辺部２２の左側端部２２１に接続され、他方の端部が第２辺部２４の左側端部２４１に接続されている。よって、第１辺部２２、第２辺部２４及び第３辺部２３でコの字を構成している。第３辺部２３の長さ（長手方向の長さ）は、樹脂製ボックス１１の横幅（図３の紙面方向で左右方向における樹脂製ボックス１１の幅）と同程度となっている。つまり、３つの辺部２２〜２４から構成された平面部２１の大きさは、樹脂製ボックス１１の底部１１１の大きさと同程度となっている。
【００１９】
図６に示す側面部２８は、第１辺部２２の外側縁部２２３に接続されている。その側面部２８は、第１辺部２２の一方の端部２２１の外側縁部２２３に接続された有穴板部２６と、外側縁部２２３のうち有穴板部２６が接続された部分以外の部分に接続された無穴板部２７とから構成されている。なお、有穴板部２６が本発明の「自販機固定部」に相当し、無穴板部２７が本発明の「接触板」に相当する。有穴板部２６には、自動販売機の上下方向に対応した方向（図６の紙面方向で上下方向）に長い長穴２６１（貫通穴）が形成されている。その長穴２６１の長さは例えば５ｃｍ程度となっている。また、長穴２６１の幅は、所定の大きさのボルト径と同程度となっている。有穴板部２６は、長穴２６１方向に伸びた長方形状となっている。なお、有穴板部２６は、長穴２６１が形成されている関係で、無穴板部２７よりも下方（図６の紙面方向で下方向）に長い板となっている。換言すると、無穴板部２７は、有穴板部２６よりも幅が狭い板となっている。これによって、無穴板部２７が有穴板部２６と同一幅の場合よりも重量を低減できる。なお、無穴板部２７は、有穴板部２６と同一幅の板であっても良い。この場合には、側面部をＬ字状にする必要がないので、その分だけ側面部の製造工程を簡略化できる。無穴板部２７は、図６に示すように、第１辺部２２の外側縁部２２３に沿って細長長方形状となっている。
【００２０】
図５、図６の取付ブラケット２０は、例えば、１枚の金属平板を打ち抜き加工や折り曲げ加工することで製造される。なお、取付ブラケット２０の各部分（例えば平面部２１、側面部２８）を別々に形成し、その後、各部分を溶接、ネジ等で接続しても良い。
【００２１】
次に、取付ブラケット２０による、通信ユニット１０の自動販売機の上面への取り付け方を説明する。図７は、自動販売機８、取付ブラケット２０及び通信ユニット１０の分解斜視図を示している。また、図８は、自動販売機８に取付ブラケット２０を設置した状態を示している。また、図９は、通信ユニット１０を、取付ブラケット２０を介して自動販売機８に取り付けた状態を示している。なお、図７〜図９では、自動販売機８の背面８１側から見たときの斜視図を示している。図７に示すように、自動販売機８の背面８１上部には、自動販売機８の転倒防止用のワイヤー等を取り付けるためのボルト穴８１２が形成されていることを前提としている。その既存のボルト穴８１２を利用して通信ユニット１０及び取付ブラケット２０を自動販売機８に取り付ける。本実施形態では、ボルト穴８１２は、背面８１の左上部８１１に形成されているものとする。なお、ボルト穴８１２の内壁にはネジ溝が形成されている。
【００２２】
図７、図８に示すように、取付ブラケット２０の平面部２１が自動販売機８の上面８２に配置され、側面部２８が自動販売機８の背面８１に配置されるように、取付ブラケット２０を自動販売機８に設置する。このとき、平面部２１の第１辺部２２は、上面８２と背面８１の境界８３に沿う位置に配置される。また、側面部２８の有穴板部２６及び無穴板部２７は、背面８１上部と面接触するように配置される。また、有穴板部２６の長穴２６１がボルト穴８１２の位置にくるように、取付ブラケット２０の位置を調整する。具体的には、図８に示すように、取付ブラケット２０を、自動販売機８の左右方向７２に移動させて、有穴板部２６の長穴２６１が、ボルト穴８１２の位置にくるようにする。なお、長穴２６１は、自動販売機８の上下方向７３（図８参照）に長くなっているので、自動販売機８の機種やメーカによって上下方向７３におけるボルト穴８１２の位置が異なっていたとしても、長穴２６１とボルト穴８１２とを合わせることができる。
【００２３】
そして、ブラケット取付ボルト３１（図７参照）を長穴２６１を介してボルト穴８１２に挿入して（締結して）、取付ブラケット２０を自動販売機８の上面８２に固定する。その後、第１辺部２２の両端に形成されたネジ挿入穴２５１、２５２の位置に脚部１９１、１９２が載置され、第２辺部２４の両端に形成されたネジ挿入穴２５３、２５４の位置に脚部１９３、１９４が載置されるように、通信ユニット１０を自動販売機８の上面８２に載置する。そして、ユニット固定ネジ３２（図７参照）を、各脚部１９１〜１９４に形成された貫通穴１９７（図４参照）を介してネジ挿入穴２５１〜２５４に挿入して（締結して）、各脚部１９１〜１９４を取付ブラケット２０に固定する。以上で、通信ユニット１０の、自動販売機８の上面８２への取り付けが完了する（図９参照）。なお、最初に通信ユニット１０を取付ブラケット２０に固定し、その後、通信ユニット１０が固定された取付ブラケット２０を自動販売機８に固定するようにしても良い。
【００２４】
以上説明したように、本実施形態によれば、自動販売機８の背面８１に形成されたボルト穴８１２を利用して通信ユニット１０を自動販売機８の上面８２に取り付けることができる。よって、通信ユニット１０を取り付けるためのボルト穴等を自動販売機８の上面８２にわざわざ形成する必要がない。つまり、通信ユニット１０を簡単に自動販売機８の上面８２に取り付けることができる。また、取付ブラケット２０の平面部２１は平面視コの字状となっているので、平面部を四角形状にする場合に比べて重量、コストを低減できる。取付ブラケット２０は、コの字状の平面部２１、Ｌ字状の側面部２８から構成されているので、１枚の平板を打ち抜き加工、曲げ加工することで簡単に取付ブラケット２０を製造できる。また、側面部２８は、有穴板部２６の他に、無穴板部２７を有しているので、取付ブラケット２０を上面８２に設置するときに、上面８２と背面８１の境界８３の位置に第１辺部２２がくるように無穴板部２７で位置決めできる。また、無穴板部２７と背面８１が接触することで、取付ブラケット２０のがたつきを防止できる。
【００２５】
また、第１辺部２２のみに側面部２８が設けられているので（第２辺部２４、第３辺部２３には側面部が設けられていないので）、取付ブラケット２０の、自動販売機８の左右方向の設置位置を自由に調整できる（図８参照）。また、有穴板部２６は、第１辺部２２の端部２２１に設けられているので、自動販売機の背面上部の左右端部に形成されることが多いボルト穴８１２の位置に、有穴板部２６（長穴２６１）を合わせやすくできる。なお、取付ブラケット２０を自動販売機に固定するためのボルト穴が、自動販売機８の左右側面８４、８５（図７参照）の上部に形成されていたとしても、取付ブラケット２０を自動販売機８に取り付けることができる。
【００２６】
なお、本発明に係る取付ブラケットは上記実施形態に限定されるものではなく、特許請求の範囲の記載を逸脱しない限度で種々の変更が可能である。例えば、取付ブラケットの形状を図１０〜図１４のように変更しても良い。図１０〜図１４は、変形例に係る取付ブラケット２０を模式的に示した図である。なお、図１０〜図１４において、上記実施形態と同一又は類似の構成には同一符号を付している。図１０に示すように、側面部２８における有穴板部２６を、第１辺部２２の右側端部２２２（図１０の紙面方向で右側端部）に設けても良い。これによって、自動販売機８の背面８１の右上部８１３（図７参照）にボルト穴が形成されていたとしても通信ユニット１０を自動販売機８に取り付けることができる。
【００２７】
また、図１１に示すように、第１辺部２２の両方の端部２２１、２２２それぞれに有穴板部２６Ｌ、２６Ｒを設けても良い。これによって、自動販売機のボルト穴が背面左上部に形成されている自動販売機と、背面右上部に形成されている自動販売機のどちらにも通信ユニットを取り付けることができる。つまり、ボルト穴が背面左上部に形成されている場合には左側の有穴板部２６Ｌを用い、ボルト穴が背面右上部に形成されている場合には右側の有穴板部２６Ｒを用いることで、通信ユニットを自動販売機に取り付けることができる。
【００２８】
また、図１２に示すように、第１辺部２２の右側端部２２２と第２辺部２４の右側端部２４２の間に細長長方形状の第４辺部２９を設けて、第１辺部２２、第２辺部２４、第３辺部２３、第４辺部２９で額縁状の平面部２１を構成するようにしても良い。これによれば、コの字状の平面部に比べて、平面部の強度を向上できる。また、図１３に示すように、平面部２１を、樹脂製ボックスの底部の形状と同等の四角形状にしても良い。この場合、平面部２１の４隅に、樹脂製ボックスの底部の４隅に設けられた脚部を固定するためのネジ挿入穴２５が設けられる。これによって、コの字状の平面部、図１２の額縁状の平面部に比べて、平面部の強度を向上できる。また、平面部をコの字状や額縁状にする必要がないので、平面部の製造を容易にできる。また、図１４に示すように、側面部２８を第３辺部２３に設けても良い。この場合、側面部２８は、第３辺部２３の外側縁部２３１に接続される。これによっても、上記実施形態と同じ効果が得られる。
【符号の説明】
【００２９】
１  無線携帯端末
８  自動販売機
８１  自動販売機の背面
８１２  ボルト穴
８２  自動販売機の上面
１０  通信ユニット
２０  取付ブラケット
２１  平面部
２２  第１辺部
２３  第３辺部
２４  第２辺部
２５、２５１〜２５４  ネジ挿入穴
２６  有穴板部
２６１  長穴
２７  無穴板部
【図１】
2013206211.tif 000003
【図２】
2013206211.tif 000004
【図３】
2013206211.tif 000005
【図４】
2013206211.tif 000006
【図５】
2013206211.tif 000007
【図６】
2013206211.tif 000008
【図７】
2013206211.tif 000009
【図８】
2013206211.tif 000010
【図９】
2013206211.tif 000011
【図１０】
2013206211.tif 000012
【図１１】
2013206211.tif 000013
【図１２】
2013206211.tif 000014
【図１３】
2013206211.tif 000015
【図１４】
2013206211.tif 000016
【手続補正書】
【提出日】平成24年6月14日(2012.6.14)
【手続補正１】
【補正対象書類名】特許請求の範囲
【補正対象項目名】全文
【補正方法】変更
【補正の内容】
【特許請求の範囲】
【請求項１】
周囲の無線携帯端末と無線通信を行う通信ユニットを自動販売機の上面に取り付けるための取付ブラケットであって、
自動販売機の上面に配置されて前記通信ユニットを自身に固定する通信ユニット固定部と、
その通信ユニット固定部と接続するとともに自動販売機の背面上部又は側面上部に形成されたボルト穴の位置に配置され、貫通穴が形成され、前記貫通穴を通って前記ボルト穴に挿入されるボルトによって自動販売機に固定される自販機固定部と、を備え、
前記通信ユニットは、その底部に、ネジが通るネジ挿通穴が形成された脚部を有し、
前記通信ユニット固定部は、前記ネジ挿通穴を通ったネジと嵌合するネジ嵌合部を有することを特徴とする取付ブラケット。
【請求項２】
前記通信ユニットは直方体状とされ、
前記脚部は、前記通信ユニットの底部の４隅それぞれに設けられ、
前記通信ユニット固定部は、４つの前記脚部間の位置関係と同じ位置関係に配置された４つの前記ネジ嵌合部を有することを特徴とする請求項１に記載の取付ブラケット。
【請求項３】
前記通信ユニットの底部の対向する２辺のうち一方を第１辺、他方を第２辺として、
前記通信ユニット固定部は、
前記底部の前記第１辺側に設けられた２つの前記脚部が載置される第１辺部と、
その第１辺部と間を挟んで対向する位置に設けられ、前記底部の前記第２辺側に設けられた２つの前記脚部が載置される第２辺部と、
前記第１辺部と前記第２辺部の間を接続する第３辺部とを有することを特徴とする請求項２に記載の取付ブラケット。
【請求項４】
前記第３辺部は、前記第１辺部の一方の端部とその端部と同じ側の前記第２辺部の端部の間を接続し、
前記第１辺部、前記第２辺部及び前記第３辺部で平面視コの字状となっていることを特徴とする請求項３に記載の取付ブラケット。
【請求項５】
前記第１辺部、前記第２辺部又は前記第３辺部のうち予め定められた一つは、前記ボルト穴が形成された自動販売機の背面又は側面と、その自動販売機の上面との境界に沿う位置に配置される境界配置部とされ、
前記自販機固定部は、前記境界配置部の外側縁部から直角に下方に折れ曲がるように設けられた、前記貫通穴を有した有穴板部であることを特徴とする請求項３又は４に記載の取付ブラケット。
【請求項６】
前記自販機固定部としての前記有穴板部は、前記境界配置部の長手方向の一方の端部のみ又は両方の端部それぞれに設けられていることを特徴とする請求項５に記載の取付ブラケット。
【請求項７】
前記境界配置部の前記外側縁部のうち、前記有穴板部が接続された部分以外の部分から直角に下方に折れ曲がるように設けられ、前記ボルト穴が形成された自動販売機の背面又は側面と接触する接触板を備えることを特徴とする請求項５又は６に記載の取付ブラケット。
【請求項８】
前記貫通穴は、自動販売機の上下方向に対応する方向に長い長穴であることを特徴とする請求項１〜７のいずれか１項に記載の取付ブラケット。
【手続補正２】
【補正対象書類名】明細書
【補正対象項目名】０００６
【補正方法】変更
【補正の内容】
【０００６】
上記課題を解決するために、本発明は、周囲の無線携帯端末と無線通信を行う通信ユニットを自動販売機の上面に取り付けるための取付ブラケットであって、
自動販売機の上面に配置されて前記通信ユニットを自身に固定する通信ユニット固定部と、
その通信ユニット固定部と接続するとともに自動販売機の背面上部又は側面上部に形成されたボルト穴の位置に配置され、貫通穴が形成され、前記貫通穴を通って前記ボルト穴に挿入されるボルトによって自動販売機に固定される自販機固定部と、を備え、
前記通信ユニットは、その底部に、ネジが通るネジ挿通穴が形成された脚部を有し、
前記通信ユニット固定部は、前記ネジ挿通穴を通ったネジと嵌合するネジ嵌合部を有することを特徴とする。
【手続補正３】
【補正対象書類名】明細書
【補正対象項目名】００２９
【補正方法】変更
【補正の内容】
【００２９】
１  無線携帯端末
８  自動販売機
８１  自動販売機の背面
８１２  ボルト穴
８２  自動販売機の上面
１０  通信ユニット
１９、１９１〜１９４  脚部
１９７  貫通穴（ネジ挿通穴）
２０  取付ブラケット
２１  平面部（通信ユニット固定部）
２２  第１辺部
２３  第３辺部
２４  第２辺部
２５、２５１〜２５４  ネジ挿入穴（ネジ嵌合部）
２６  有穴板部（自販機固定部）
２６１  長穴（貫通穴）
２７  無穴板部（接触板）